(57)【要約】【課題】液化ガスのバルク貯槽のプロテクタ内に十分アクセスでき、プロテクタ内での点検、修理、メインテナンス等の作業スペースを十分確保できる構造のプロテクタを実現する。【解決手段】左右に開閉可能の左側ケース３及び右側ケース４とから成りバルク貯槽１の外壁に付設される付設機器を保護するバルク貯槽１のプロテクタ２において、左側ケース３及び右側ケース４は、それぞれ側壁７、上壁８、下壁９及び前扉１０から構成され、側壁７の後縁１３はバルク貯槽１の外壁に回転可能に取り付けられ、左側ケース３及び右側ケース４を左右に開閉可能とし、側壁７の側壁７の後縁１３に沿う内面１４とバルク貯槽１の外面６とがヒンジ１５で相対的に回転可能に取り付けられており、左側ケース３及び右側ケース４を閉じた際に、上下壁９の内側の縁部及び前扉１０の内側の縁部が、互いに重なるように形成されている。【選択図】図１
0003128056.tif 000002
【実用新案登録請求の範囲】
【請求項１】
左右に開閉可能な左側ケース及び右側ケースとから成り、バルク貯槽の外壁に付設される付設機器を保護するバルク貯槽のプロテクタであって、
左側ケース及び右側ケースは、それぞれ側壁、上壁、下壁及び前壁から構成され、側壁の後縁がバルク貯槽の外壁に回転可能に取り付けられることで、左側ケース及び右側ケースを左右に開閉可能としていることを特徴とする液化ガスのバルク貯槽のプロテクタ。
【請求項２】
左右に開閉可能な左側ケース及び右側ケースとから成り、バルク貯槽の外壁に付設される付設機器を保護するバルク貯槽のプロテクタであって、
左側ケース及び右側ケースは、それぞれ側壁、上壁、下壁及び前扉から構成され、側壁の後縁がバルク貯槽の外壁に回転可能に取り付けられることで、左側ケース及び右側ケースを左右に開閉可能としており、
前記側壁の前縁に、前記前扉が回転可能に取り付けられている構成であることを特徴とする液化ガスのバルク貯槽のプロテクタ。
【請求項３】
左側ケース及び右側ケースとから成り、バルク貯槽の外壁に付設される付設機器を保護するバルク貯槽のプロテクタであって、
前記左側ケース及び右側ケースのいずれか一つは、側壁、上壁、下壁及び前扉から一体的に構成され、側壁の後縁がバルク貯槽の外壁に回転可能に取り付けられ、ケースごと開閉可能としており、
前記左側ケース及び右側ケースの他の一つは、側壁、上壁、下壁及び前扉から構成されており、前記側壁、上壁及び下壁はバルク貯槽の外壁に固定されており、前記前扉は前記側壁の前縁に回転可能に取り付けられ開閉可能であることを特徴とする液化ガスのバルク貯槽のプロテクタ。
【請求項４】
前記左側ケース及び右側ケースのいずれか一方であって、ガス放出管及びガス取出管が配置される側のケースの上壁及び下壁には、該ケースを開く際にガス放出管及びガス取出管が上壁及び下壁と係合しないような軌跡に沿って、ガス放出管及びガス取出管が貫通する湾曲状の孔が形成されていることを特徴とする請求項１、２又は３記載の液化ガスのバルク貯槽のプロテクタ。
【請求項５】
左側ケース及び右側ケースは、閉じた際に、上下壁の内側の縁部及び前扉若しくは前壁の内側の縁部が、互いに重なるように形成されていることを特徴とする請求項１〜４のいずれか１項に記載の液化ガスのバルク貯槽のプロテクタ。
【考案の詳細な説明】
【技術分野】
【０００１】
この考案は、ＬＰＧ等の液化ガスが貯蔵されるバルク貯槽の安全弁、圧力調整器等の付設機器を保護するプロテクタに関する。
【背景技術】
【０００２】
従来、ＬＰＧ等の液化ガスが貯蔵されるバルク貯槽には、その外面に、安全弁、圧力調整器、ガス取出弁等の機器が付設されている。このような付設機器は、バルク貯槽の管理者以外アプローチできないように、プロテクタ内に収容され保護されている（特許文献１、２参照）。
【０００３】
図６（ａ）〜（ｃ）は、従来のバルク貯槽３０に設けられたプロテクタ３１を示す。図６（ａ）は、プロテクタ３１を正面から見た図であり、図６（ｂ）、（ｃ）はプロテクタ３１を閉じた状態及び開いた状態を示す平面図である。プロテクタ３１は、左右側壁３２、上壁３３、下壁３４及び観音開きの左右の前扉３５から成り、ほぼ箱状に形成されている。
【０００４】
左右の前扉３５は、左右側壁３２の前端（手前側の端）にヒンジ３６により左右方向に開閉自在に取り付けられている。左右側壁３２及び上下壁３３、３４の後端がバルク貯槽３０の外面に、溶接等により固定されて、プロテクタ３１がバルク貯槽３０に取り付けられている。
【０００５】
プロテクタ３１内には安全弁（図示せず）を介して上方に垂直に延びるガス放出管３７が配設されている。このガス放出管３７は、プロテクタ３１の上壁３３を貫通して上方に延びている。ガス取出管３８が圧力調整器（図示しない。）等を介し、さらに、プロテクタ３１内から下壁３４を貫通して下方に延びている。
【０００６】
【特許文献１】特開２００５−３２５９８７号公報
【特許文献２】特開平１０−５４５００号公報
【考案の開示】
【考案が解決しようとする課題】
【０００７】
ところで、プロテクタ内に収容する付設機器については、定期的な法令点検が義務づけられている。例えば、安全弁については５年に一度、圧力調整器については７年に一度の法令点検が義務づけられている。
【０００８】
従来のプロテクタ３１は、ガス放出管３７及びガス取出管３８が上壁３３及び下壁３４を貫通して上方及び下方に延びるように配設されているために、管理者は、左右の前扉３５のみをヒンジ３６により左右に開閉することによりプロテクタ３１内にアプローチしていた。
【０００９】
しかし、左右の前扉３５を開閉することしかできないので、プロテクタ３１内に設置されている安全弁や圧力調整器等の諸付設機器を点検、交換又はメインテナンスのための十分なスペースがとれなかった。そのために、プロテクタ３１自体をとりはずすことが必要となり、作業に長時間かかることがあり、作業性で問題があった。
【００１０】
本考案は、上記従来のプロテクタの問題を解決し、液化ガスのバルク貯槽のプロテクタ内に十分アクセスでき、プロテクタ内での点検、修理又はメインテナンス等の作業スペースを十分確保できる構造の作業性、実用性及び経済性の大きいプロテクタを実現することを課題とする。
【課題を解決するための手段】
【００１１】
本考案は上記課題を解決するために、左右に開閉可能な左側ケース及び右側ケースとから成り、バルク貯槽の外壁に付設される付設機器を保護するバルク貯槽のプロテクタであって、左側ケース及び右側ケースは、それぞれ側壁、上壁、下壁及び前壁から構成され、側壁の後縁がバルク貯槽の外壁に回転可能に取り付けられることで、左側ケース及び右側ケースを左右に開閉可能としていることを特徴とする液化ガスのバルク貯槽のプロテクタを影響する。
【００１２】
本考案は上記課題を解決するために、左右に開閉可能な左側ケース及び右側ケースとから成り、バルク貯槽の外壁に付設される付設機器を保護するバルク貯槽のプロテクタであって、左側ケース及び右側ケースは、それぞれ側壁、上壁、下壁及び前扉から構成され、側壁の後縁がバルク貯槽の外壁に回転可能に取り付けられることで、左側ケース及び右側ケースを左右に開閉可能としており、前記側壁の前縁に、前記前扉が回転可能に取り付けられている構成であることを特徴とする液化ガスのバルク貯槽のプロテクタを提供する。
【００１３】
本考案は上記課題を解決するために、左側ケース及び右側ケースとから成り、バルク貯槽の外壁に付設される付設機器を保護するバルク貯槽のプロテクタであって、前記左側ケース及び右側ケースのいずれか一つは、側壁、上壁、下壁及び前扉から一体的に構成され、側壁の後縁がバルク貯槽の外壁に回転可能に取り付けられ、ケースごと開閉可能としており、前記左側ケース及び右側ケースの他の一つは、側壁、上壁、下壁及び前扉から構成されており、前記側壁、上壁及び下壁はバルク貯槽の外壁に固定されており、前記前扉は前記側壁の前縁に回転可能に取り付けられ開閉可能であることを特徴とする液化ガスのバルク貯槽のプロテクタを提供する。
【００１４】
前記左側ケース及び右側ケースのいずれか一方であって、ガス放出管及びガス取出管が配置される側のケースの上壁及び下壁には、該ケースを開く際にガス放出管及びガス取出管が上壁及び下壁と係合しないような軌跡に沿って、ガス放出管及びガス取出管が貫通する湾曲状の孔が形成されていることが好ましい。
【００１５】
左側ケース及び右側ケースを閉じた際に、上下壁の内側の縁部及び前扉若しくは前壁の内側の縁部が、互いに重なるように形成されていることが好ましい。
【考案の効果】
【００１６】
以上の構成から成る本考案に係るバルク貯槽のプロテクタによると、扉を十分開けることができるので、プロテクタ内に十分アクセスでき、プロテクタ内での点検、修理又はメインテナンス等の作業スペースを十分確保できる。
【００１７】
従って、作業性が向上し、従来のように安全弁等の付設機器を十分点検して、むやみに新品に交換するようなことをしなくてもよいので、作業性、実用性及び経済的効果がきわめて大きい。
【考案を実施するための最良の形態】
【００１８】
本考案に係るバルク貯槽のプロテクタを実施するための最良の形態を実施例に基づいて図面を参照して、以下説明する。以下の実施例の説明では、本考案の技術思想を明確且つ分かりやすく説明するために、左右側ケースが両開きするタイプの実施例１を先に説明し、次に、より現実的、実用的な構成として片開きタイプの実施例２を説明する。
【実施例１】
【００１９】
図１〜３は、本考案のバルク貯槽のプロテクタの実施例１を説明する図である。バルク貯槽１の外面にプロテクタ２が設けられている。
【００２０】
図１（ａ）〜（ｃ）、図２（ａ）、（ｂ）及び図３（ａ）、（ｂ）に示すように、プロテクタ２は、左側ケース３及び右側ケース４とから成る。左側ケース３及び右側ケース４は、それぞれバルク貯槽１の円筒壁５の外面６に回転可能に取り付けられており、図２（ａ）、図３（ａ）に示すように、左右に開閉可能である。
【００２１】
図１（ａ）〜（ｃ）、図３（ｂ）に示すように、左側ケース３及び右側ケース４が閉じた状態では、プロテクタ２は、全体的には、ほぼ箱状となるように形成されている。
【００２２】
左側ケース３及び右側ケース４は、ほぼ左右対称に構成されており、それぞれ側壁７、上壁８、下壁９及び前扉１０から構成されている。上壁８及び下壁９の後縁１１、１２は、図１（ｃ）に示すように、バルク貯槽１の円筒壁５の外面６に沿うように凹湾曲状に形成されている。
【００２３】
前扉１０は、この実施例１のように、側壁７の前縁にヒンジ１５で回転可能に取り付けられる開閉扉の構成としてもよいし、左側ケース３及び右側ケース４の両方又はいずれか一方の前扉１０を、上下壁８、９に一体的に固定して、前壁の構成としてもよい。 
【００２４】
側壁７は、バルク貯槽１の円筒壁５の外面６に回転可能に取り付けられているが、この取付構造の一例を、以下に説明する。図１（ｃ）及び図２（ｂ）に要部を拡大して示すように、側壁７の後縁１３に沿う内面１４とバルク貯槽１の円筒壁５の外面６とを、ヒンジ１５で相対的に回転可能に結合する。
【００２５】
このように取り付けるヒンジ１５は、側壁７の後縁１３に沿って、上下方向に間隔をおいて複数（本実施例１では２つ）、側壁７の内面１４とバルク貯槽１の外面６に、それぞれボルト締め又は溶着して固定する。ヒンジ１５は、プロテクタ２の内側に固定されるために、プロテクタ２を施錠すれば、管理者以外はアクセスできない。
【００２６】
左側ケース３の縦幅及び横幅を右側ケース４の縦幅及び横幅より少し大きく形成する。このように形成することで、図１（ａ）〜（ｃ）に示すように、左側ケース３及び右側ケース４を閉じた際に、それぞれの上下壁の互いに対向する縁部１６が互いに部分的に重なるとともに、前扉１０の互いに対向する縁部１７が互いに重なるように構成されている。
【００２７】
そして、前扉１０の内側の縁部１７が互いに重なる部分又は上下壁９の内側の縁部１６が互いに重なる部分に、貫通した孔１８を形成し、この孔１８を利用して、左側ケース３と右側ケース４とを互いに、ビス（図示せず）で固定したり、又は、この孔１８を利用して施錠（例えば施錠部を２８で示す。）を施したりすることが可能となる。これにより、左側ケース３と右側ケース４を互いに締結して、プロテクタ２の閉鎖状態を維持することができる。
【００２８】
ところで、本実施例１では、付設機器の一つであるガス放出管１９は、左側ケース３の上壁８を貫通して上方に伸びるように配設されている。また、ガス取出管２３が下壁９を貫通して下方に伸びるように配設されている。従って、左側ケース３を開くときに、左側ケース３の上壁８及び下壁９がガス放出管１９及びガス取出管２３によって係止されてしまう。
【００２９】
そこで、このような係止を防止する必要がある。そのために、図１（ｃ）及び図２（ｂ）に示すように（上壁８しか見えるように示されていないが下壁９も同じである。）、ガス放出管１９が貫通する上壁８に、ガス放出管１９及びガス取出管２３の貫通孔２０が湾曲状に形成されている。
【００３０】
この湾曲状の貫通孔２０は、左側ケース３を開くときに、左側ケース３の上壁８及び下壁９がガス放出管１９及びガス取出管２３が対応する軌跡Ｌ（図２（ａ）参照）に沿って形成されている。
【００３１】
この湾曲状の貫通孔２０から埃や水が入り込むことを防止するために、本実施例１の変形例として、貫通孔２０を上方から覆って閉鎖する湾曲状の庇（ひさし）板２１を水平に設けた構成としてもよい。この場合、庇板２１は、図２（ｃ）、（ｄ）に示すように、バルク貯槽１にその基端をビス又は溶着して固定し、その先端部をガス放出管１９が貫通し上方に伸びるようにしてガス放出管１９に固定する構成とする。
【００３２】
図３（ａ）は、バルク貯槽１のプロテクタ２を左側ケース３と右側ケース４を、ヒンジ１５を中心にして左右に開いたプロテクタ２内の付設機器２７の一例を示す。プロテクタ２内では、バルク貯槽１に取り付けられた安全弁２２を介して上方に垂直に延びるガス放出管１９が配設されている。このガス放出管１９は、前記のとおり、プロテクタ２の上壁８を貫通して上方に延びている。
【００３３】
そして、ガス取出管２３が、二段一次圧力調整器２４、及び二段二次圧力調整器２５等を介して下方に延びるように配設されている。ガス取出管２５からガスは供給配管２６を通して、例えば、燃焼機器、湯沸器等のガスの利用機器にガスが供給される。
【００３４】
本考案のプロテクタ２によれば、図２（ａ）では左側ケース３と右側ケース４を左右に開いた状態を示しているが、少なくともプロテクタ２の左側ケース３を開くと、プロテクタ２の内部に設けた付設機器２７に、正面側、上下側及び側方の四方からアクセスできる。よって、従来例に較べて作業スペースが大きくなって、５年に１回の安全弁の点検、７年に１回の圧力調整器の点検等の付設機器の定期点検やメインテナンスにおける作業がし易くなる。
【実施例２】
【００３５】
図４は、本考案のバルク貯槽のプロテクタの実施例２を説明する図であり、図５は、実施例２のプロテクタをバルク貯槽に適用した一つの実施の態様を説明する図である。この実施例２は、実施例１と同様に左側ケース及び右側ケースを備えたプロテクタ２’を有する。
【００３６】
しかし、実施例２のプロテクタ２’の左側ケース３は実施例１の左側ケース３と全く同じ構成であり、ここではその詳細な説明は省略するが、実施例２の右側ケース４’は、実施例１の右側ケース４とは異なる。
【００３７】
即ち、この実施例２は、右側ケース４’はバルク貯槽に固定し、左側ケース３のみをケースごとバルク貯槽に対して回転して開くことができる構成とした点を特徴とするものであり、実施例１に較べて、より実用的であり、既設のプロテクタにも適用可能な構成である。
【００３８】
実施例２の右側ケース４’では、図４（ａ）に示すように、プロテクタ２’の側壁７、上壁８及び下壁９は、バルク貯槽１に対してヒンジ１５で回転することなく固定されている。具体的には、右側ケース４’の上壁８の後縁１１、下壁９の後縁１２及び側壁７の後縁１３がバルク貯槽の円筒壁５の外面６に溶着又はネジ止めされている。
【００３９】
そして、実施例２の右側ケース４’では、側壁７の前縁にヒンジ１５で回転可能に取り付けられた前扉１０’が設けられている。左側ケース３は、その前扉１０が側壁７の前縁にヒンジ１５で前扉１０を回転可能に取り付けられているが、上壁８及び下壁９と一体的に固定された構成としてもよい。
【００４０】
従って、図４（ｂ）に示すように、左側ケース３は、実施例１と同様にケース自体がバルク貯槽１に対してヒンジ１５によって回転する。しかし、右側ケース４’は、前扉１０’のみヒンジ１５で回転して開くことができる。
【００４１】
この実施例２のバルク貯槽のプロテクタ２’は、実施例１と同様に、図３（ａ）に示すようなガス放出管１９、安全弁２２、二段一次圧力調整器２４及び二段二次圧力調整器２５等を備えた付設機器（ガス漏れ検知器を備えていない。）を収納するプロテクタとして利用できる。
【００４２】
図５は、実施例２のプロテクタ２’を、ガス漏れ検知器２９を備えた別の付設機器を収納に適用した実施の態様を示す図である。図５（ａ）は、左側ケース３は開き、右側ケース４’は前扉１０’が閉じた状態を示している。図５（ｂ）は、前扉１０’が閉じた状態の右側ケース４’を想像線で示し、その内部を透視して見えるようにした図である。
【００４３】
この図５（ｂ）で示すように、プロテクタ２’内に収納する付設機器は、ガス放出管１９、安全弁２２、二段一次圧力調整器２４及び二段二次圧力調整器２５等であり、さらに、右側ケース４’の側壁７又は前扉１０’にガス漏れ検知器２９が固定されて設けられている。
【００４４】
この図５に示す実施の態様によれば、バルク貯槽のプロテクタ２’の左側ケース３を開いて、ガス放出管１９、安全弁２２、二段一次圧力調整器２４及び二段二次圧力調整器２５等の点検、メインテナンスの作業を容易にできる。また、必要であれば、前扉１０’を開いて、ガス漏れ検知器２９を点検、メインテナンスの作業が可能となる。
【００４５】
以上、本考案に係るバルク貯槽のプロテクタの最良の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００４６】
本考案に係るバルク貯槽のプロテクタは、バルク貯槽の外面に付設した安全弁、圧力調整器等の付設機器を保護できるとともに、点検やメインテナンスの際に、四方からプロテクタ内に十分アクセスするできるものであり、ＬＰＧ、その他の液化ガスのバルク貯槽の付設機器を保護するプロテクタに適用可能である。
【図面の簡単な説明】
【００４７】
【図１】本考案に係るバルク貯槽のプロテクタの実施例１を説明する図であり、（ａ）はバルク貯槽に取り付けられたプロテクタの正面図であり、（ｂ）はバルク貯槽に取り付けられたプロテクタの平面図であり、（ｃ）は、（ｂ）の要部拡大図である。
【図２】（ａ）は実施例１のプロテクタ２を開いた状態を示し、（ｂ）は要部拡大図であり、（ｃ）、（ｄ）は実施例１の変形例を説明する要部正面図及び平面図である。
【図３】（ａ）は実施例１のプロテクタを開いて内部の一例を説明する図であり、（ｂ）はプロテクタ２を閉じた際の側面図である。
【図４】本考案に係るバルク貯槽のプロテクタの実施例２を説明する図であり、（ａ）はプロテクタを閉じた状態を示す平面図であり、（ｂ）は開いた状態を示す平面図である。
【図５】実施例２のプロテクタをバルク貯槽に適用した実施の態様を説明する正面図である。
【図６】従来例のバルク貯槽のプロテクタを説明する図であり、（ａ）は正面図であり、（ｂ）はプロテクタを閉じた状態の平面図であり、（ｃ）はプロテクタを開いた状態の平面図である。
【符号の説明】
【００４８】
１、３０  バルク貯槽                         
２、２’、３１  プロテクタ                         
３  左側ケース                         
４、４’  右側ケース                         
５  バルク貯槽の円筒壁                 
６  バルク貯槽の円筒壁の外面           
７  プロテクタの側壁                     
８、３３  プロテクタの上壁                     
９、３４  プロテクタの下壁                     
１０  プロテクタの前扉
１０’  左側ケースの前扉                   
１１  プロテクタの上壁の後縁           
１２  プロテクタの下壁の後縁           
１３  側壁の後縁                       
１４  側壁の後縁に沿う内面             
１５、３６  ヒンジ                           
１６  上下壁の重なり合う縁部           
１７  前扉の重なり合う縁部             
１８  ビス止め又は施錠用の孔           
１９、３７  ガス放出管                       
２０  貫通孔                           
２１  庇（ひさし）板                             
２２  安全弁                           
２３、３８  ガス取出管                       
２４  高圧用圧力調整器                 
２５  低圧用圧力調整器                 
２６  ガスの供給配管
２７  付設機器
２８  施錠部
３２  従来のプロテクタの左右側壁
３５  従来のプロテクタの左右の前扉
【図１】
0003128056.tif 000003
【図２】
0003128056.tif 000004
【図３】
0003128056.tif 000005
【図４】
0003128056.tif 000006
【図５】
0003128056.tif 000007
【図６】
0003128056.tif 000008